(57)【要約】      （修正有）【課題】２つの開閉体を備え、より一層操作性を向上させた記録装置を提供する。【解決手段】インクジェットプリンター１は、記録ヘッドを内部に備えた筐体２と、筐体２の上部の少なくとも一部を開閉する第１開閉体としての上部カバー３と、筐体２の周囲の少なくとも一部である排紙口６を開閉し、上部カバー３が開いた状態では開いており、上部カバー３の閉動作に応じて閉じる第２開閉体としての排紙口シャッター７とを備えている。これにより、第１開閉体と第２開閉体とを備えた記録装置において、第１開閉体と第２開閉体の双方を閉じる際に各々を個別に閉じる必要がなく、操作性が向上する【選択図】図２
2015044395.tif 000002
【特許請求の範囲】
【請求項１】
媒体に記録を行う記録手段を内部に備えた筐体と、
前記筐体の上部の少なくとも一部を開閉する第１開閉体と、
前記筐体の周囲の少なくとも一部を開閉し、前記第１開閉体の閉動作に応じて閉じる第２開閉体と、
を備えた記録装置。
【請求項２】
請求項１に記載の記録装置において、前記第２開閉体は、前記第１開閉体の開動作に応じて開くことを特徴とする記録装置。
【請求項３】
請求項１または請求項２に記載の記録装置において、前記第１開閉体は、開いた状態において給送前の媒体を支持し、
前記第２開閉体は、記録が行われて排出される媒体の排出口を開閉する、
ことを特徴とする記録装置。
【請求項４】
請求項３に記載の記録装置において、前記第２開閉体は、上方向にスライドすることにより前記排出口を開放する、
ことを特徴とする記録装置。
【請求項５】
請求項４に記載の記録装置において、前記第１開閉体は、前記筐体と対向する面に、支持される媒体のエッジ位置を規制する突起を備え、
前記第１開閉体が閉じる際、前記突起が前記第２開閉体を閉方向に押す、
ことを特徴とする記録装置。
【請求項６】
請求項５に記載の記録装置において、前記突起は、前記第１開閉体に支持される媒体の両サイドに配置されている、
ことを特徴とする記録装置。
【請求項７】
請求項１から請求項６のいずれか一項に記載の記録装置において、前記第２開閉体は、付勢手段によって開方向に付勢されている、
ことを特徴とする記録装置。
【請求項８】
媒体に記録を行う記録手段を内部に備えた筐体と、
前記筐体の上部の少なくとも一部を開閉する第１開閉体と、
前記筐体の周囲の少なくとも一部を開閉する第２開閉体と、を備え、
前記第１開閉体は、前記第２開閉体の開動作に応じて開く、
ことを特徴とする記録装置。
【請求項９】
請求項８に記載の記録装置において、前記第１開閉体は、開いた状態において給送前の媒体を支持し、
前記第２開閉体は、記録が行われて排出される媒体の排出口を開閉する、
ことを特徴とする記録装置。
【発明の詳細な説明】
【技術分野】
【０００１】
本発明は、ファクシミリやプリンター等に代表される記録装置に関する。
【背景技術】
【０００２】
記録装置の一例としてのプリンターには、２つの開閉体が連動して動作するものがある。特許文献１に示すプリンターは、装置上面に設けられた給紙開口部を覆う給紙カバーと、装置前面に設けられた排紙口を覆う排紙口カバーを備えている。給紙カバーには磁石ユニットが設けられており、また排紙口カバーには金属部材が設けられている。
【０００３】
給紙カバーと排紙口カバーとが閉じた状態では、給紙カバーの磁石ユニットと、排紙口カバーの金属部材とが互いに吸着することでロック状態となり、シェル構造をなす。そして、給紙カバーを開くことに連動して、排紙口カバーは自重により自動的に開く様になっている。  
特許文献１に示すプリンターは、以上の様な構成により、排紙口カバーを開かずに印刷を行ってしまうことによる紙詰まりを防止している。
【先行技術文献】
【特許文献】
【０００４】
【特許文献１】特開２００４−１２２７１９号公報
【発明の概要】
【発明が解決しようとする課題】
【０００５】
上述した特許文献１記載のプリンターは、給紙カバーと排紙口カバーとを互いに吸着させてシェル構造をなす様に構成されており、給紙カバーを開くと排紙口カバーが開く構造であるものの、閉じる際には、給紙カバーと排紙口カバーをそれぞれ閉じる必要がある。即ち、双方を閉じる状態にするために、複数回の操作（アクション）が必要となる。
【０００６】
即ち、プリンターを使用する際に、給紙カバーを開けることによって、排紙口カバーが開く機構は、排紙口カバーの開き忘れに対する紙ジャムを回避するために有効である。しかし、使用者は一般的にプリンターを使用しないときに給紙カバーを閉めることは実施するが、上記のように複数回の操作が必要となることによって、排紙口のカバーを閉め忘れ、あるいは、閉じることをしないことが想定される。その場合、埃、塵などにより、記録装置本体に悪影響を及ぼすことが懸念される。
【０００７】
そこで本発明はこの様な状況に鑑みなされたものであり、その目的は、２つの開閉体即ち給紙カバーと排紙口カバーを備えた記録装置において、給紙カバーを閉じると排紙口カバーが閉じる動作もワンタッチでできる構成を兼ね備えた、より一層操作性を向上させる記録装置を得ることにある。また本発明のもう一つの技術的課題は、２つの開閉体即ち給紙カバーと排紙口カバーを備えた記録装置において、カバーを開く際の動作を容易に行うことができる記録装置を得ることにある。本発明は、上述した２つの技術的課題の少なくともいずれかを解決することを目的とする。
【課題を解決するための手段】
【０００８】
上記課題を解決する為の、本発明の第１の態様に係る記録装置は、媒体に記録を行う記録手段を内部に備えた筐体と、前記筐体の上部の少なくとも一部を開閉する第１開閉体と、前記筐体の周囲の少なくとも一部を開閉し、前記第１開閉体の閉動作に応じて閉じる第２開閉体とを備えたことを特徴とする。
【０００９】
本態様によれば、第１開閉体と第２開閉体とを備えた記録装置において、第２開閉体は、第１開閉体の閉動作に応じて閉じることができるので、第１開閉体と第２開閉体の双方を閉じる際に各々を個別に閉じる必要がなく、ワンアクションで済み、操作性が向上する。
【００１０】
本発明の第２の態様は、第１の態様において、前記第２開閉体は、前記第１開閉体の開動作に応じて開くことを特徴とする。  
本態様によれば、第１開閉体を開けば第２開閉体が開くので、双方を開く操作に関してもワンアクションで済み、操作性が向上する。
【００１１】
本発明の第３の態様は、第１のまたは第２の態様において、前記第１開閉体は、開いた状態において給送前の媒体を支持し、前記第２開閉体は、記録が行われて排出される媒体の排出口を開閉することを特徴とする。  
本態様によれば、筐体上部を開閉する第１開閉体が給送前の媒体を支持する手段を兼用するので、装置の低コスト化を図ることができる。
【００１２】
本発明の第４の態様は、第３の態様において、前記第２開閉体は、上方向にスライドすることにより前記排出口を開放することを特徴とする。
【００１３】
本態様によれば、前記第２開閉体は、上方向にスライドすることにより前記排出口を開放するので、前記排出口より下側に前記第２開閉体がスライドする領域を確保する必要がなく、装置の高さ寸法増加を抑えることができる。加えて、装置前方側に前記第２開閉体を開く為のスペースが不要となる。
【００１４】
本発明の第５の態様は、第４の態様において、前記第１開閉体は、前記筐体と対向する面に、支持される媒体のエッジ位置を規制する突起を備え、前記第１開閉体が閉じる際、前記突起が前記第２開閉体を閉方向に押すことを特徴とする。
【００１５】
本態様によれば、前記第１開閉体に設けられた、媒体のエッジ位置を規制する突起が、前記第２開閉体を閉方向に押すので、前記第１開閉体の閉動作に応じて前記第２開閉体を閉じる構成を、構造簡単にして且つ低コストに得ることができる。
【００１６】
本発明の第６の態様は、第５の態様において、前記突起は、前記第１開閉体に支持される媒体の両サイドに配置されていることを特徴とする。  
本態様によれば、前記突起は、前記第１開閉体に支持される媒体の両サイドに配置されているので、前記第２開閉体は、少なくとも２点において前記第１開閉体から閉方向の力を受ける。これにより、前記第２開閉体を円滑に閉じることができる。
【００１７】
本発明の第７の態様は、第１から第６の態様のいずれかにおいて、前記第２開閉体は、付勢手段によって開方向に付勢されていることを特徴とする。  
本態様によれば、前記第２開閉体は、付勢手段によって閉方向に付勢されているので、前記第１開閉体が開いた状態において前記第２開閉体を開放する構成を、構造簡単にして且つ低コストに得ることができる。
【００１８】
本発明の第８の態様は、媒体に記録を行う記録手段を内部に備えた筐体と、前記筐体の上部の少なくとも一部を開閉する第１開閉体と、前記筐体の周囲の少なくとも一部を開閉する第２開閉体と、を備え、前記第１開閉体は、前記第２開閉体の開動作に応じて開くことを特徴とする。
【００１９】
本態様によれば、第１開閉体と第２開閉体とを備えた記録装置において、第１開閉体は、第２開閉体の開動作に応じて開くので、第１開閉体と第２開閉体の双方を開く際に各々を個別に開く必要がなく、ワンアクションで済み、操作性が向上する。
【００２０】
本発明の第９の態様は、第８の態様において、前記第１開閉体は、開いた状態において給送前の媒体を支持し、前記第２開閉体は、記録が行われて排出される媒体の排出口を開閉することを特徴とする。  
本態様によれば、筐体上部を開閉する第１開閉体が給送前の媒体を支持する手段を兼用するので、装置の低コスト化を図ることができる。
【図面の簡単な説明】
【００２１】
【図１】本発明に係るプリンターの外観斜視図（上部カバー閉、排紙口シャッター閉）。
【図２】本発明に係るプリンターの外観斜視図（上部カバー開、排紙口シャッター開）。
【図３】（Ａ）、（Ｂ）は本発明に係るプリンターの前方側をｙ−ｚ平面で切断した断面図。
【図４】本発明に係るプリンターの前方側をｘ−ｚ平面で切断した断面図。
【図５】本発明に係るプリンターの前方側をｘ−ｙ平面で切断した断面図。
【図６】（Ａ）、（Ｂ）は本発明の他の実施形態に係るプリンターの前方側をｙ−ｚ平面で切断した断面図。
【図７】他の実施形態に係る上部カバー及び排紙口カバーの側面図。
【図８】（Ａ）、（Ｂ）他の実施形態に係る上部カバー及び排紙口カバーの側面図（部分拡大図）。
【発明を実施するための形態】
【００２２】
以下、本発明の一実施形態を図面に基づいて説明するが、本発明は、以下説明する実施形態に限定されることなく、特許請求の範囲に記載した発明の範囲内で種々の変形が可能であり、それらも本発明の範囲内に含まれるものであることを前提として、以下本発明の一実施形態を説明するものとする。
【００２３】
図１及び図２は本発明に係る「記録装置」の一実施形態であるインクジェットプリンター（以下「プリンター」と言う）１の外観斜視図であり、図１は上部カバー３及び排紙口シャッター７の双方が閉じた状態を、図２は上部カバー３及び排紙口シャッター７の双方が開いた状態を示す。
【００２４】
図３（Ａ）及び図３（Ｂ）はプリンター１の前方側をｙ−ｚ平面で切断した断面図であり、図３（Ａ）は上部カバー３及び排紙口シャッター７の双方が閉じた状態を、図３（Ｂ）は上部カバー３及び排紙口シャッター７の双方が開いた状態を示す。  
また、図４はプリンター１の前方側をｘ−ｚ平面で切断した断面図、図５はプリンター１の前方側をｘ−ｙ平面で切断した断面図である。
【００２５】
更に、図６（Ａ）及び図６（Ｂ）は本発明の他の実施形態に係るプリンターの前方側をｙ−ｚ平面で切断した断面図であり、図６（Ａ）は上部カバー３及び排紙口シャッター２０の双方が閉じた状態を、図６（Ｂ）は上部カバー３及び排紙口シャッター２０の双方が開いた状態を示す。
【００２６】
尚、各図に示すｘ−ｙ−ｚ直交座標系は、ｘ方向及びｙ方向が水平方向であり、このうちｘ方向は用紙幅方向であり、また装置左右方向でもある。またｙ方向は用紙搬送方向であり、また装置奥行き方向でもある。更に、ｚ方向は重力方向であり、装置高さ方向でもある。
【００２７】
図１においてプリンター１は、筐体２により外観が形成されており、その大きさと形状は、携帯性を考慮して小型に、そして薄型に形成されている。  
上面には本発明の「第１開閉体」の一例である上部カバー３が、装置上部を開閉可能に設けられ、装置前方には本発明の「第２開閉体」の一例である排紙口シャッター７が、排紙口６を開閉可能に設けられている。尚、符号２ａは筐体２の前面を示しており、排紙口６は前面２ａに形成されている。
【００２８】
プリンター１は、記録動作と用紙搬送動作とを交互に行うことで記録を完了させる所謂シリアル型のインクジェットプリンターであり、その大まかな構成は図３に示されている。符号１４は、図示しない給紙部から給紙された用紙を搬送する搬送ローラー対であり、この搬送ローラー対の下流に、インクジェット記録ヘッド１３が設けられている。
【００２９】
インクジェット記録ヘッド１３はキャリッジ１２に設けられ、当該キャリッジ１２は、図示しないインクカートリッジを搭載するとともに、図示しない駆動モーターからの動力を受け、用紙幅方向に往復動する。インクジェット記録ヘッド１３と対向する位置には媒体の一例としての記録用紙（単票紙：以下「用紙Ｐ」と言う）を支持する用紙支持部材１６が設けられ、インクジェット記録ヘッド１３及び用紙支持部材１６の下流側には、記録の行われた用紙Ｐを排出する排出ローラー対１５が設けられている。
【００３０】
前面２ａに形成される排紙口６は排出ローラー対１５の下流側に位置し、プリンター１において使用が想定される最大サイズの用紙Ｐの幅よりも、更に大きめの幅に形成されている。第２開閉体としての排紙口シャッター７は、この排紙口６を閉じる状態（図１及び図３（Ａ））と、排紙口６を開く状態（図２及び図３（Ｂ））と、をとり得る。
【００３１】
一方、装置上面を開閉する上部カバー３は、装置後部に設けられた不図示の回動軸を中心に回動可能に設けられており、回動することにより、装置上部を閉じる姿勢（図１及び図３（Ａ））と、装置上部を開く姿勢（図２及び図３（Ｂ））と、をとり得る様になっている。
【００３２】
上部カバー３が閉じた状態では、当該上部カバー３の上面が、筐体２の上面２ｂと面一を成す様に構成されており、また上部カバー３の先端（自由端側の端部）が、前面２ａとほぼ同じ位置となり、全体的に筐体表面に極端な段差が形成されない様に構成されている。
【００３３】
上部カバー３が開いた状態では、図２に示す様に装置上部に用紙給紙口４が表れ、用紙の給紙が行える様になっている。上部カバー３は、装置上部を開閉するとともに、開いた状態では、用紙給紙口４にセットされた給送前の（或いは給送中の）用紙Ｐを傾斜姿勢に支持する支持手段を兼ねる。
【００３４】
上部カバー３の先端（自由端側の端部）においてカバー内側には、突起３ａ、３ｂが形成されており、このうち一方側の突起３ａは、用紙給紙口４にセットされた用紙Ｐの一方側のエッジ位置を規制する規制手段を構成する。そしてまた、これら突起３ａ、３ｂは、排紙口６を開閉する排紙口シャッター７を閉じる役割を果たす。
【００３５】
以下、更に説明する。排紙口シャッター７は、筐体２の前面２ａの裏側においてｚ方向（上下方向）にスライド変位可能に設けられている。筐体２の前面２ａの裏側には、排紙口シャッター７の幅方向（ｘ方向）両端部を保持するとともに上下方向に案内するガイド９ａ、９ｂが設けられていて（図５）、排紙口シャッター７は、ガイド９ａ、９ｂにより、ｙ方向及びｘ方向に移動しないよう規制されている。
【００３６】
尚、装置の美観を確保するとともに装置内部への塵埃の侵入を効果的に防ぐ観点において、排紙口シャッター７とガイド９ａ、９ｂとの間のｙ方向のガタ（クリアランス）は、小さいことが好ましい。また、排紙口シャッター７の円滑な上下動を確保するため、排紙口シャッター７とガイド９ａ、９ｂとの間のｘ方向のガタ（クリアランス）は、大きめであることが好ましい。
【００３７】
図４に示す様に、排紙口シャッター７の両端部には、ばね掛止部７ｃが形成されており、このばね掛止部７ｃと、筐体２の前面２ａの裏側に形成されたばね掛止部１０との間に、付勢手段の一例である引っ張りばね８が設けられている。これにより排紙口シャッター７は、常に上方向、即ち排紙口６を開く方向に付勢されており、排紙口シャッター７は外力が付与されなければ、排紙口６を開く状態（図２、図３（Ｂ））を維持する様になっている。
【００３８】
一方、排紙口シャッター７の上部において幅方向（ｘ方向）両側には、突起７ａ、７ｂが形成されている。これら突起７ａ、７ｂは、排紙口シャッター７が開いた状態において図２、図３（Ｂ）に示される様に筐体２の前面２ａ上部に表れる様に設けられている。但し、これは一例であり、排紙口シャッター７が開いた状態において突起７ａ、７ｂが外部に露呈せず、筐体２の内部に位置する構成であっても良い。
【００３９】
排紙口シャッター７に設けられた突起７ａ、７ｂのこれらは、上部カバー３に設けられた突起３ａ、３ｂに対応した位置（ｘ方向において同じ位置）に設けられている。そして上部カバー３が開いた状態から閉じる際、上部カバー３に設けられた突起３ａ、３ｂが、排紙口シャッター７に設けられた突起７ａ、７ｂにそれぞれ当接し、押し下げる。  
これにより排紙口シャッター７は、引っ張りばね８の付勢力に抗して下方に押し下げられ、図１及び図３（Ａ）に示す閉状態となる。
【００４０】
尚、以上説明した筐体２、上部カバー３、排紙口シャッター７、のこれらは、樹脂材料により形成されている。
【００４１】
以上説明したように、本発明に係る記録装置の一実施形態としてのインクジェットプリンター１は、媒体の一例としての用紙Ｐに記録を行う記録手段を構成するインクジェット記録ヘッド１３を内部に備えた筐体２と、筐体２の上部の少なくとも一部を開閉する第１開閉体としての上部カバー３と、筐体２の周囲の少なくとも一部である排紙口６を開閉し、上部カバー３が開いた状態では開いており、上部カバー３の閉動作に応じて閉じる第２開閉体としての排紙口シャッター７とを備えている。
【００４２】
これにより、第１開閉体（本実施形態において上部カバー３）と第２開閉体（本実施形態において排紙口シャッター７）とを備えた記録装置において、第１開閉体と第２開閉体の双方を閉じる際に各々を個別に閉じる必要がなく、ワンアクションで済み、操作性が向上する。また、第１開閉体を開けば第２開閉体が開くので、双方を開く操作に関してもワンアクションで済み、操作性が向上する。
【００４３】
尚、上記本発明の内容に任意的に付加できる構成として、以下の点が挙げられる。例えば、本実施形態では筐体２の上部を開閉する上部カバー３が、給送前の用紙Ｐを支持する支持手段を兼用する構成を採用する。これにより、装置の低コスト化を図ることができる。
【００４４】
また、例えば本実施形態において排紙口シャッター７は、上方向にスライドすることにより用紙排出口６を開放する。これにより、用紙排出口６より下側に排紙口シャッターがスライドする領域を確保する必要がなく、装置の高さ寸法増加を抑えることができる。加えて、装置前方側に第２開閉体（排紙口シャッター７）を開く為のスペースが不要となる。
【００４５】
また、例えば本実施形態において上部カバー３は、筐体２と対向する面に、支持される用紙Ｐのエッジ位置を規制する突起３ａを備え、上部カバー３が閉じる際、突起３ａが排紙口シャッター７を押す。これにより、上部カバー３の閉動作に応じて排紙口シャッター７を閉じる構成を、構造簡単にして且つ低コストに得ることができる。
【００４６】
また、例えば本実施形態におい突起３ａ、３ｂは、上部カバー３に支持される用紙Ｐの両サイドに配置されている。これにより排紙口シャッター７は、少なくとも２点において上部カバー３から閉方向の力を受ける。従って排紙口シャッター７が閉じる際、左右（ｘ方向）で傾くことなく均等に閉じることができ、即ち所謂「こじり」を防止することができる。
【００４７】
また、例えば本実施形態において排紙口シャッター７は、付勢手段としての引っ張りばね８によって開方向に付勢されている。これにより、上部カバー３が開いた状態において排紙口シャッター７を開放する構成を、構造簡単にして且つ低コストに得ることができる。
【００４８】
続いて図６（Ａ）、（Ｂ）を参照しつつ本発明の他の実施形態の一例について説明する。図６（Ａ）は既に説明した図３（Ａ）に対応し、排紙口シャッター（本実施形態では符号２０を付す）が閉じている状態を示している。同様に、図６（Ｂ）は既に説明した図３（Ｂ）に対応し、排紙口シャッター２０が開いている状態を示している。尚、各図において既に説明した構成と同一の構成には同一符号を付してあり、以下では重複の説明は避けるものとする。
【００４９】
図６（Ａ）、（Ｂ）に示す排紙口シャッター２０は、筐体２の内側において回動中心２０ａを中心にして図の時計回り方向及び反時計回り方向に回動可能に設けられ、回動することにより、用紙排紙口６を開閉する様に設けられている。  
より詳しくは、排紙口シャッター２０は、不図示の付勢手段によって、開き方向（図６の反時計回り方向）に付勢された状態に設けられている。
【００５０】
一方、排紙口シャッター２０の上方には、筐体２の前面２ａの裏面に沿って、上下方向にスライド可能なスライダー２１が設けられている。スライダー２１は、上方から下方に垂れ下がる様な形態を成すとともに排紙口シャッター２０と係合可能な係合片２１ａを備えている。
【００５１】
また、スライダー２１は、その上部に、図２及び図３に示した突起７ａ、７ｂと同様に筐体２の上部に突出可能な突起２１ｂを有している。この突起２１ｂは、既に説明した突起７ａ、７ｂと同様に上部カバー３に設けられた突起３ａ、３ｂに対応した位置（ｘ方向において同じ位置）に設けられている。
【００５２】
スライダー２１は不図示の付勢手段によって上方向に付勢された状態に設けられており、上部カバー３が開いた状態では、図６（Ｂ）に示す様に上方向にスライドして位置している。またスライダー２１の位置では、下部の係合片２１ａが、図６（Ｂ）に示す様に排紙口シャッター２０から離れており、従って排紙口シャッター２０は開放姿勢をとる。
【００５３】
この状態から、上部カバー３が閉じると、上部カバー３に設けられた突起３ａ、３ｂが、スライダー２１に設けられた突起２１ｂに当接し、押し下げる。これによりスライダー２１は、下方向にスライドする。スライダー２１が下方向にスライドすると、スライダー２１の下部の係合片２１ａが、図６（Ｂ）から図６（Ａ）への変化に示す様に、排紙口シャッター２０を閉方向に回動させ、排紙口シャッター２０が閉状態となる。
【００５４】
以上の構成によっても、第１開閉体（本実施形態において上部カバー３）と第２開閉体（本実施形態において排紙口シャッター２０）とを備えた記録装置において、第１開閉体と第２開閉体の双方を閉じる際に各々を個別に閉じる必要がなく、操作性が向上する。
【００５５】
続いて図７及び図８（Ａ）、（Ｂ）を参照しつつ本発明の第１開閉体及び第２開閉体の他の実施形態について説明する。図７は第１開閉体の他の実施形態に係る上部カバー３０及び第２開閉体の他の実施形態に係る排紙口カバー３３の側面図、図８（Ａ）、図８（Ｂ）は上部カバー３０及び排紙口カバー３３の側面図（部分拡大図）である。上部カバー３０は上述した上部カバー３に代えて設けられ、また排紙口カバー３３は上述した排紙口シャッター７に代えて設けられるものである。
【００５６】
上部カバー３０は、回動軸３０ａを中心に回動（図７及び図８の時計回り方向及び反時計回り方向）することにより装置上部を開閉可能に設けられ、排紙口カバー３３は、回動軸３３ａを中心に回動（図７及び図８の時計回り方向及び反時計回り方向）することにより排紙口６を開閉する。本実施形態でも、既に説明した実施形態と同様に上部カバー３０が開いた状態で装置上部に用紙給紙口４が表れ、用紙の給紙が行える。また上部カバー３０は、装置上部を開閉するとともに、開いた状態では、用紙給紙口４にセットされた給送前の（或いは給送中の）用紙Ｐを傾斜姿勢に支持する支持手段を兼ねる。
【００５７】
上部カバー３０の回動軸３０ａにはコイルばね３１が設けられ、このコイルばね３１により上部カバー３０に常時開方向への付勢力が付与された状態となっている。  
一方、排紙口カバー３３にはコイルばね３４が係合し、このコイルばね３４により、排紙口カバー３３の姿勢に応じて、当該排紙口カバー３３に閉方向或いは開方向への付勢力が付与される。
【００５８】
より詳しくは、コイルばね３４は軸３５に対し図７及び図８の時計回り方向及び反時計回り方向に回動可能に設けられているとともに、第１端部３４ａが排紙口カバー３３に係合し、第２端部３４ｂが不図示の固定部に係合している。第１端部３４ａと排紙口カバー３３との係合部位は排紙口カバー３３の回動とともに変位し、第２端部３４ｂと不図示の固定部との係合部位は変位しない。
【００５９】
コイルばね３４は第１端部３４ａと第２端部３４ｂとが離れる方向に付勢力を発揮する。これにより排紙口カバー３３が閉じているとき（図７及び図８（Ｂ））、コイルばね３４は排紙口カバー３３に対し閉方向（図７及び図８の時計回り方向）の付勢力を付与する。この状態から排紙口カバー３３を開くと、その途中でコイルばね３３の付勢力は排紙口カバー３３を閉じる方向から開く方向に向きが変化し、排紙口カバー３３が完全に開いた状態（図８（Ａ））では排紙口カバー３３を開いた状態に維持する。尚、符号３３ｂは、排紙口カバー３３を開閉する際のつまみである。
【００６０】
一方、上部カバー３３には係合フック３０ｂが形成されており、上部カバー３０及び排紙口カバー３３の双方が閉じた状態では、係合フック３０ｂが排紙口カバー３３に形成された係合フック３３ｃと係合し、閉じた状態が維持される（図７の状態）。即ち、上部カバー３０は排紙口カバー３３によって閉じた状態が維持される。排紙口カバー３３は、コイルばね３４の付勢力によって閉じた状態が維持される。
【００６１】
この様に双方が閉じた状態から、排紙口カバー３３を開くと、係合フック３０ｂと係合フック３３ｃとの係合状態が解除され、上部カバー３０はコイルばね３１の付勢力によって開く。
【００６２】
尚、排紙口カバー３３が開いた状態で上部カバー３０を閉じると、図８（Ａ）に示す様に上部カバー３０の係合フック３０ｂが、排紙口カバー３３の被押圧部３３ｅを押し下げ、排紙口カバー３３を閉方向に回動させる。その結果排紙口カバー３３は閉じる。  
尚、排紙口カバー３３が開いた状態で上部カバー３０を閉じると、図８（Ｂ）に示す様に上部カバー３０の係合フック３０ｂが、排紙口カバー３３の係合斜面３３ｄに沿って移動し、係合フック３３ｃと係合することができる。即ち、排紙口カバー３３が開いた状態で上部カバー３０を閉じても、上部カバー３０の係合フック３０ｂが排紙口カバー３３に引っ掛かることなく、円滑に閉じることができる。
【００６３】
以上説明したように、上部カバー３０と排紙口カバー３３とを備えた構成において、上部カバー３０は、排紙口カバー３３の開動作に応じて開くので、上部カバー３０と排紙口カバー３３の双方を開く際に各々を個別に開く必要がなく、ワンアクションで済み、操作性が向上する。
【００６４】
以上説明した各実施形態の各構成要素について、開示した内容に限定されないことは言うまでもなく、適宜変更可能であることは言うまでもない。例えば、上記実施形態では、第１開閉体としての上部カバー３及び上部カバー３０は筐体２の上面の一部を開閉するが、筐体２の上面全体を開閉する大きさであっても良い。同様に、第２開閉体としての排紙口シャッター７及び排紙口カバー３３は、筐体２の周囲において前面の一部を開閉するが、前面の全体を開閉する大きさであっても良い。
【００６５】
更に、本実施形態ではキャリッジ１２にインクカートリッジ（不図示）を搭載する、所謂オンキャリッジタイプであるが、インクカートリッジがキャリッジ１２から独立して設けられ、インクカートリッジと記録ヘッドとがインクチューブで接続された、所謂オフキャリッジタイプであっても良い。その場合、インク収容部としてのインクカートリッジは、筐体２の内側に設けても、筐体２の外側に設けても、いずれであっても良い。
【００６６】
また、記録ヘッド１３は、所定方向に移動しながら記録を行う所謂シリアルタイプのほか、固定的に設けられるとともに記録領域をカバーする長さを有する、所謂ラインヘッドであっても良い。
【符号の説明】
【００６７】
１  インクジェットプリンター、２  筐体、２ａ  前面、２ｂ  上面、３  上部カバー（第１開閉体）、３ａ、３ｂ  突起、４  用紙給紙口、６  排紙口、７  排紙口シャッター（第２開閉体）、７ａ、７ｂ  突起、７ｃ  ばね掛止部、８  引っ張りばね、９ａ、９ｂ
ガイド、１０  ばね掛止部、１２  キャリッジ、１３  記録ヘッド、１４  搬送ローラー対、
１５  排出ローラー対、１６  用紙支持部材、２０  排紙口シャッター、２１  スライダー、２１ａ  係合片、２１ｂ  突起、Ｐ  記録用紙、
【図１】
2015044395.tif 000003
【図２】
2015044395.tif 000004
【図３】
2015044395.tif 000005
【図４】
2015044395.tif 000006
【図５】
2015044395.tif 000007
【図６】
2015044395.tif 000008
【図７】
2015044395.tif 000009
【図８】
2015044395.tif 000010